(57)【特許請求の範囲】
【請求項１】
誘電体層、前記誘電体層の第１の面の面上に略平行に延在する第１および第２の信号用導体、前記誘電体層を挟んで前記第１の面と対向する第２の面の面上において前記第１の信号用導体と対向する位置に延在する第３の信号用導体、前記誘電体層を挟んで前記第１の面と対向する第２の面の面上において前記第２の信号用導体と対向する位置に延在する第４の信号用導体、を含む伝送線路と、
前記第１ないし第４の信号用導体の入力側端部と電気的に接続され、前記第１および第４の信号用導体に正相信号を、前記第２および前記第３の信号用導体に逆相信号を、各々出力する第１の回路と、
前記第１ないし第４の信号用導体の出力側端部と電気的に接続された第２の回路と、を備え、
前記第１の回路は、前記第１および前記第４の信号用導体の入力側端部において波形が同一又は相似な前記正相信号を出力するとともに、前記第２および前記第３の信号用導体の入力側端部において波形が同一又は相似な前記逆相信号を出力し、
前記第１および前記第４の信号用導体に出力された前記正相信号と、前記第２および前記第３の信号用導体に出力された前記逆相信号とによる差動信号が、前記第２の回路に入力され、
前記差動信号により、前記誘電体層の厚み方向の中央または略中央を横切る面において電気壁と等価な電界分布を形成することを特徴とする信号伝送システム。
【請求項２】
前記電気壁と等価な電界分布を形成する面は、前記伝送線路における前記差動信号の伝送において仮想接地面となることを特徴とする請求項１に記載の信号伝送システム。
【請求項３】
前記第１ないし第４の信号用導体は、前記誘電体層を挟んで対称または略対称な平面形状で形成されていることを特徴とする請求項１または請求項２に記載の信号伝送システム。
【請求項４】
前記伝送線路は、複数の誘電体層をさらに含み、
前記誘電体層と前記複数の誘電体層により、前記第１ないし前記第４の信号用導体が全体として誘電体層に埋め込まれた構造となっていることを特徴とする請求項１ないし請求項３のいずれか１項に記載の信号伝送システム。
【請求項５】
前記伝送線路は、前記構造の第１の面および前記第１の面と対向する第２の面の各々の面上に接地用導体をさらに配置することを特徴とする請求項４に記載の信号伝送システム。
【請求項６】
前記第１の回路は１の差動信号を出力する差動信号出力部を備え、
前記１の差動信号のうち正相信号を分岐して前記第１および前記第４の信号用導体に出力し、前記１の差動信号のうち逆相信号を分岐して前記第２および前記第３の信号用導体に出力することを特徴とする請求項１ないし請求項５のいずれか１項に記載の信号伝送システム。
【請求項７】
前記第１の回路は第１および第２の差動信号を出力する差動信号出力部を備え、
前記第１の差動信号を前記第１および第３の信号用導体に出力し、前記第２の差動信号を前記第２および第４の信号用導体に出力することを特徴とする請求項１ないし請求項５のいずれか１項に記載の信号伝送システム。
【請求項８】
前記第１の回路は第１および第２の差動信号を出力する差動信号出力部を備え、
前記第１の差動信号を前記第１および第２の信号用導体に出力し、前記第２の差動信号を前記第３および第４の信号用導体に出力することを特徴とする請求項１ないし請求項５のいずれか１項に記載の信号伝送システム。
【請求項９】
前記第１ないし第４の信号用導体の信号入力側端部において、前記第１の回路の差動出力インピーダンスと前記伝送線路の差動インピーダンスとが整合状態にあることを特徴とする請求項６ないし請求項８のいずれか１項に記載の信号伝送システム。
【請求項１０】
前記第２の回路は１の差動信号を入力する差動信号入力部を備え、
前記１の差動信号のうち正相信号を分岐して前記第１および前記第４の信号用導体の出力側端部から入力し、
前記１の差動信号のうち逆相信号を分岐して前記第２および前記第３の信号用導体の出力側端部から入力することを特徴とする請求項１ないし請求項５のいずれか１項に記載の信号伝送システム。
【請求項１１】
前記第２の回路は、第１および第２の差動信号を入力する差動信号入力部を備え、
前記差動信号入力部は、前記第１の差動信号を前記第１および第３の信号用導体から入力し、前記第２の差動信号を前記第２および第４の信号用導体から入力することを特徴とする請求項１ないし請求項５のいずれか１項に記載の信号伝送システム。
【請求項１２】
前記第２の回路は、第１および第２の差動信号を入力する差動信号入力部を備え、
前記差動信号入力部は、前記第１の差動信号を前記第１および第２の信号用導体から入力し、前記第２の差動信号を前記第３および第４の信号用導体から入力することを特徴とする請求項１ないし請求項５のいずれか１項に記載の信号伝送システム。
【請求項１３】
前記第１ないし前記第４の信号用導体の信号出力端部において、前記第２の回路の差動入力インピーダンスと前記伝送線路の差動出力インピーダンスとが整合状態にあることを特徴とする請求項１ないし請求項９のいずれか１項に記載の信号伝送システム。
【請求項１４】
前記第１および第２の差動信号は、信号出力タイミングが同一または略同一であることを特徴とする請求項７ないし請求項９のいずれか１項に記載の信号伝送システム。
【請求項１５】
前記第１の差動信号と前記第２の差動信号との間で前記差動信号出力部から出力される差動信号の出力タイミングに差があり、
前記差動信号出力部から前記第１の差動信号出力に接続される信号用導体の入力側端部までの前記第１の差動信号の信号伝送時間と、前記差動信号出力部から前記第２の差動信号源に接続される信号用導体の入力側端部までの前記第２の差動信号の信号伝送時間と、の差により前記出力タイミングの差を補正することを特徴とする請求項７ないし請求項９のいずれか１項に記載の信号伝送システム。
【請求項１６】
誘電体層、前記誘電体層の第１の面の面上に略平行に延在する第１および第２の信号用導体、前記誘電体層を挟んで前記第１の面と対向する第２の面の面上において前記第１の信号用導体と対向する位置に延在する第３の信号用導体、前記誘電体層を挟んで前記第１の面と対向する第２の面の面上において前記第２の信号用導体と対向する位置に延在する第４の信号用導体、を含む伝送線路と、
前記第１ないし第４の信号用導体の入力側端部と電気的に接続され、前記第１および第４の信号用導体に正相信号を、前記第２および前記第３の信号用導体に逆相信号を、各々出力する第１の回路と、
前記第１ないし第４の信号用導体の出力側端部と電気的に接続された第２の回路と、
を備えた伝送システムにおける信号伝送方法であって、
前記第１の回路は、前記第１および前記第４の信号用導体の入力側端部において波形が同一又は相似な前記正相信号を出力するとともに、前記第２および前記第３の信号用導体の入力側端部において波形が同一又は相似な前記逆相信号を出力するステップと、
前記第１および前記第４の信号用導体に出力された前記正相信号と、前記第２および前記第３の信号用導体に出力された前記逆相信号とにより伝送される差動信号を、前記第２の回路に入力するステップと、
を含み、前記差動信号により、前記誘電体層の厚み方向の中央または略中央を横切る面において電気壁と等価な電界分布を形成することを特徴とする信号伝送方法。
【発明の詳細な説明】
【技術分野】
【０００１】
本発明は、差動伝送線路を用いた伝送システムおよび信号伝送方法に関する。
【背景技術】
【０００２】
従来、高速データや高周波信号の伝送では、誘電体層の一方の片面に接地（ＧＮＤ）導体を実装しもう一方の片面に信号用導体を実装した伝送線路、いわゆるマイクロストリップ線路、による伝送、あるいは接地（ＧＮＤ）と信号用導体を同じ面に実装したコプレーナ線路による伝送が一般的に行なわれている。また、２つの信号用導体でペアを構成して正相信号用および逆相信号用とした差動線路による伝送も一般的に使用されている。
【０００３】
このような伝送線路による信号伝送では、線路寸法（線路幅）といった各種機械的な寸法と、特性インピーダンスなどの電気的特性とが相互に関係している。配線幅や配線厚と特性インピーダンスの間の相互関係を表す近似式が、各種の伝送線路構造に対し求められている。（例えば非特許文献１を参照。）
【先行技術文献】
【非特許文献】
【０００４】
【非特許文献１】フジクラ技報、第１０９号、２７頁〜３０頁、２００５年１０月
【発明の概要】
【発明が解決しようとする課題】
【０００５】
しかしながら、誘電体層の厚みは例えば材料や標準的な仕様などから、伝送線路の特性インピーダンスは例えばＬＤＶＳ（Ｌｏｗ  Ｖｏｌｔａｇｅ  Ｄｉｆｆｅｒｅｎｃｉａｌ  Ｓｉｇｎａｌｉｎｇ）といった信号伝送規格により、予め制限されることが多い。
【０００６】
従って、従来の伝送線路による伝送では、誘電体層の厚みと特性インピーダンスが指定されると、線路寸法（線路幅）が上記相互関係によって決まってしまい、平面的に大幅な小型化を行なうこと困難であるという課題があった。 
【０００７】
本発明は、上記のような課題を解決するためになされたもので、差動伝送線路を用いて電気回路間の信号伝送を行う信号伝送システムであって、同一の誘電体層の厚みおよび特性インピーダンスを有する差動マイクロストリップ線路と比べて差動伝送線路の平面的な小型化が可能な信号伝送システムを実現することを目的とする。
【課題を解決するための手段】
【０００８】
本発明に係る伝送システムは、誘電体層を挟んで対向する位置に２つずつ配置された４つの信号用導体を備えた伝送線路に対し、誘電体層を挟んで対向する信号導体同士が異なる位相の信号となるように差動信号を出力し、伝送線路を伝送する差動信号により、前記誘電体層の厚み方向の中央を横切る面内において電気壁とみなすことが可能な電界分布を形成するようにしたものである。
【発明の効果】
【０００９】
本発明によれば、差動信号の伝送において電気壁は、仮想接地（ＧＮＤ）面として考えることができるので、誘電体の厚みは、上記特性インピーダンスの計算の近似式から等価的に半分となる。
従って従来と同一の誘電体層の厚みと特性インピーダンスを有する差動伝送線路を実現する場合、線路幅等の平面的な寸法はおよそ半分でよいため、同一の誘電体層の厚みおよび特性インピーダンスを有する差動マイクロストリップ線路と比べて差動伝送線路の平面的な小型化が可能な信号伝送システムを実現することができる。
【図面の簡単な説明】
【００１０】
【図１】本発明の実施の形態１における伝送システムの構成を示す概念図である。
【図２】本発明の実施の形態１における伝送システムの伝送線路の平面図および断面図である。
【図３】本発明の実施の形態１における伝送システムの差動信号出力部と伝送線路との接続を示す概念図である。
【図４】本発明の実施の形態２における伝送システムの差動信号出力部と伝送線路との接続を示すである。
【図５】本発明の実施の形態３における伝送システムの差動信号出力部と伝送線路との接続を示すである。
【図６】本発明の実施の形態４における伝送システムの差動入力部と伝送線路の接続を示す概念図である。
【図７】本発明の実施の形態５における伝送システムの差動出力部と伝送線路の接続を示す概念図である。
【図８】本発明の実施の形態６における伝送システムの差動入力部と伝送線路の接続を示す概念図である。
【図９】本発明の実施の形態７における伝送システムの差動入力部と伝送線路の接続を示す概念図である。
【図１０】本発明の実施の形態８における伝送システムの差動入力部と伝送線路の接続を示す概念図である。
【発明を実施するための形態】
【００１１】
実施の形態１．
以下に、図を用いて本発明の実施の形態を説明する。
【００１２】
なお、以下の各実施の形態における説明および各図において、同一ないしは同様の構成部分には同一ないしは同様の符号を付する。また、本発明の要旨の説明に不要な詳細な構成および従来技術等についてはその説明の一部を省略する。
【００１３】
また、各図は、伝送システムの構成、構造、機能、動作を分かりやすく示すためのものであり、本発明の伝送システムの実装においては、図に記載した特定の装置構成および装置名称に依存しない。また、各部の配置関係、および数は図に記載の構成や分割範囲に限定されない。
【００１４】
図１は、本発明の実施の形態１における伝送システムの構成を示す概念図、図２は、伝送システムの伝送線路の平面図および断面図である。
図１において、１００は第１回路、１０１は差動信号出力部、２００は伝送線路を設けた基板、２０１は伝送線路、３００は第２回路、３０１は差動信号入力部を、ｐは差動信号の正相信号、ｎは差動信号の逆相信号を、矢印は差動信号の伝送方向を、図２において、１ａは誘電体層、２は信号用導体を示す。
【００１５】
図２において、断面図（Ｂ）は、平面図（Ａ）の伝送線路に沿った任意または所定の位置（図中Ｉ−Ｉと記載。）における断面を示している。
また、伝送線路２０１の信号入力端部側および信号出力端部側を便宜的に規定するために（ｉｎ）または（ｏｕｔ）を付している。
【００１６】
第1回路１００は、正相信号ｐおよび逆相信号ｎから構成される差動信号を、差動信号出力部１０１から出力する。なお、第1回路１００は、差動信号出力部１０１が出力する差動信号の種類、信号レベル、送信タイミング等を制御する制御手段を含む場合、あるいは、第１回路の前段にある回路などにおいて別途制御手段を有し第１回路自体は第1回路に入力された情報または信号に従って出力し、とくに制御はしない場合など、各種形態が可能である。
【００１７】
また、第１回路１００から第２回路への信号伝送は、同一装置内の回路間、同一基板内の回路間、異なる装置間の回路間、異なる基板間の回路間など、各種の回路間伝送の形態に適用が可能である。
【００１８】
差動信号出力部１０１は、基板２００の一部または全部を構成する伝送線路２０１に電気的に接続され、正相信号ｐおよび逆相信号ｎを伝送線路２０１に出力する。
【００１９】
なお、図１においては第1回路１００、差動出力部１０１、第２回路３００、差動信号入力部３０１は基板２００と分離しているが、基板２００内に第１回路、第２回路、配線、部品、他の伝送線路等を実装するなど各種の配置形態が可能である。
また、本実施の形態では単層基板を想定するが、多層基板中の特定の層に適用するなど各種基板構造が可能である。
【００２０】
伝送線路２０１は、差動信号の正相信号ｐおよび逆相信号ｎを伝送するための４つの信号用導体２が、誘電体層１ａの１つの面上と、誘電体層を挟んで対向する面上とに、２つずつ平行または略平行に延在して帯状に配置される。また、異なる面に配置された信号用導体２同士は、誘電体層１ａ挟んで対向する位置に配置される。
図２では、説明を分かりやすくするため、伝送線路２０１の例として、信号用導体２の断面が長方形で、平面形状が帯状である場合を示している。
【００２１】
第２回路３００は、信号伝送先の回路であり、伝送線路２０１により伝送された差動信号が第２回路３００の差動入力部３０１に入力される。なお、第２回路３００または差動信号入力部３０１は、第１回路１００または差動信号出力部１０１と、対照的な機能や回路構成である必要はない。
【００２２】
図３は、本発明の実施の形態１における伝送システムの差動信号出力部と伝送線路の信号用導体２の入力端部との接続を示す概念図である。
なお、接続関係を分かりやすくするため、各信号用導体を区別して記載している。
【００２３】
図において、２ｐ１、２ｎ１、２ｐ２、２ｎ２が図２の各信号用導体に対応する信号用導体、３が差動信号出力部１０１の差動信号源を示す。ここで、２ｐ１は、誘電体層１ａの第１の面上に配置され正相信号が伝送される信号用導体２、２ｎ1は、２ｐ１と同じ面上に配置され逆相信号が伝送される信号用導体２である。２ｎ２は、誘電体層１ａを挟んで信号導体２ｐ１に対向する主面に配置され逆相信号が伝送される信号用導体２、２ｐ２は、誘電体層１ａを挟んで信号導体２ｎ１に対向する面上に配置され逆相信号が伝送される信号用導体２である。
また、図中の伝送線路２０１の断面は、図２に示した断面と同様の構造であるが、伝送線路２０１の入力端部における断面であることを示すため、各信号用導体の符号に（ｉｎ）を付している。
【００２４】
差動信号源３は、入力した信号ＩＮを差動信号として出力する。
差動信号源３の正相信号出力は、２つに分岐されて正相信号用導体２ｐ１（ｉｎ）および２ｐ２（ｉｎ）に、また、逆相信号出力は、２つに分岐されて逆相信号用導体２ｎ１（ｉｎ）および２ｎ２（ｉｎ）に、各々接続される。
なお、説明を分かりやすくするため、差動信号源３の出力端から各信号用導体の入力端部までの長さは全て等長であるとする。即ち、信号の伝送時間差はないものとする。
【００２５】
次に差動信号の伝送動作について説明する。
差動信号源３から正相信号および逆相信号を出力すると、正相信号は２つに分岐されて、信号用導体２ｐ１と２ｐ２に同一または相似な正相信号が出力される。同様に、逆相信号は２つに分岐されて、信号用導体２ｎ１と２ｎ２に同一または相似な逆相信号が出力される。そして、これら４本の信号用導体ｐ１、２ｐ２、２ｎ１、２ｎ２と誘電体層１ａとから構成された伝送線路２０１により、第１回路１００から第２回路３００へ差動信号が伝送される。
【００２６】
伝送された作動信号は、信号用導体の出力端部から作動信号入力部３０１へ入力される。
このとき、伝送線路２０１の任意の断面において、誘電体層１ａを挟んで対向する位置に配置された２つの信号用導体、２ｐ１と２ｎ２は、常に逆相の信号が伝送されている状態となるので、信号用導体２ｐ１と２ｎ２の間で電気力線が誘電体層１ａを貫くような電界分布となる。信号用導体２ｐ２と２ｎ１の間でも同様に電気力線（電界分布）が形成される。
【００２７】
各信号用導体に出力される信号の波形やタイミング等が理想的な場合、誘電体層１ａの厚み方向の中央において誘電体層１ａを水平に切る面内では電気力線が面を垂直に貫くので、その面はいわゆる電気壁１０となる。
電気壁１０が形成されている面は、差動信号伝送において仮想的な接地（ＧＮＤ）面とみなすことができる。
【００２８】
これは、配線幅等の機械的寸法と伝送線路の特性インピーダンスとの関係を表す近似式から、同じ厚みの誘電体層１ａの１つの面上全体に地導体（ＧＮＤ）を配置し、誘電体層１ａを挟んで対抗する面上に正相信号用導体および逆相信号用導体を配置する従来一般的に用いられている差動マイクロストリップ線路と比較して、誘電体の厚みが仮想的に半分となったことに相当することが分かる。
【００２９】
以上のように、本実施の形態では、信号伝送元である第１の回路１００から信号伝送先である第２の回路３００に対し差動信号を伝送する場合に、伝送線路の４つの信号用導体の、誘電体層１ａを挟んで対向して配置された信号用導体同士に互いに逆相の信号を出力し、差動信号を伝送線路２０１を伝送させることにより、誘電体内部において等価的に電気壁の条件を満足するような電界分布を形成するようにしている。
【００３０】
従って、電気壁が差動信号伝送における仮想接地面として動作する結果、誘電体の厚みが等価的に半分となり、従来の線路構造と同じインピーダンスのままで、必要な配線幅等の寸法を同様に半分程度にすることができ、基板２００における差動伝送線路２０１が占める面積を削減することが可能となる。
【００３１】
なお、図３において、信号用導体の入力端部における伝送線路の差動入力インピーダンスは、信号用導体の入力端部における信号分岐の差動出力インピーダンスと整合していることが望ましい。
【００３２】
同様に、差動信号源３の差動出力インピーダンスは、差動信号源３４の出力端における信号分岐の差動入力インピーダンスと整合していることが望ましい。
各部においてインピーダンス整合がより達成されることにより、各部における信号の反射がより低減されるので、伝送される信号の歪の発生や伝送エラーが低減できる。
【００３３】
また、本実施の形態では、図３において、分岐された差動信号出力が信号用導体の断面に電気的に接続されているが、概念図であり、図２に示した信号用導体の入力端部であればよい。
【００３４】
また、差動信号の分岐部分の実装形態としては、基板２００上に別途形成した線路や独立した配線により形成するなど、各種の実装形態が可能である。
【００３５】
また、本実施の形態では、差動信号源３の出力を分岐する具体的な形態について説明を省略したが、例えば誘電体層１ａを貫通するように設けたビアホール（またはスルーホール。図示しない）により分岐させ、誘電体層１ａの両側の入力端部に信号を入力させるようにしてもよい。
【００３６】
この場合、差動信号用導体に入力される分岐後の信号の間でタイミング差が生ずる可能性がある。その場合、例えば差動信号源３と伝送線路の入力端部間の分岐部分の長さを信号用導体によって変えるといった遅延補正手段を設けてタイミング差を吸収するなど、伝送システムの設計時にタイミングを考慮するようにしてもよい。
実施の形態２．
【００３７】
以下に、本発明の実施の形態２について図４を用いて説明する。なお、以下では上記実施の形態１との差異を中心に説明する。
【００３８】
図４は、本発明の実施の形態２における伝送システムの差動信号出力部と伝送線路との接続を示すである。  
実施の形態１の図３と異なる点は、誘電体層１ａの両面に配置された各信号用導体２ｐ１、２ｐ２、２ｎ１、２ｎ２を、複数の誘電体層１ｂおよび１ｃでそれぞれ覆われることにより、伝送線路２０１の各信号用導体２が全体として誘電体内に埋め込まれる構成となっている点である。
【００３９】
誘電体層１ｂ、１ｃとしては、例えばソルダーレジスト、誘電体層１ａと同じ材質を用いることが可能である。ここで、ソルダーレジスト（ＳＲ）とは、プリント配線板（ＰＷＢ）の表面を覆い、回路パターンを保護する絶縁膜となる塗料である。
なお、誘電損失低減という観点からは、誘電体層１ｂおよび１ｃの材料は、誘電体１ａより誘電損失の低い材料を用いることが望ましい。
【００４０】
差動信号の伝送動作については、実施の形態１と同様である。
【００４１】
以上のように、本実施の形態では、実施の形態１と同様な効果が得られる。さらに、誘電体内に埋め込まれている構成となっているので、信号用導体の腐食を防止できる。
【００４２】
なお、本実施の形態では、誘電体層１ｂ、１ｃの厚みが均一ではないが、均一な厚みで誘電体層１ｂ、１ｃを形成してもよい。その場合、誘電体層１ｂ、１ｃの厚みは同じことが望ましい。
実施の形態３.
【００４３】
図５は、本発明の実施の形態３における伝送システムの差動信号出力部と伝送線路との接続を示すである。
実施の形態２の図２および図３では、誘電体層１ｂの、誘電体層１ｂを挟んで誘電体層１ａ対向する面上、および、誘電体層１ｃの、誘電体層１ｃを挟んで誘電体層１ａと接する面と対向する面上には特に何も存在しないが、本実施の形態では、誘電体層１ｂの、誘電体層１ｂを挟んで誘電体層１ａ対向する面上に接地用導体２０ａを、誘電体層１ｃの、誘電体層１ｃを挟んで誘電体層１ａと接する面と対向する面上に接地用導体２０ｂをそれぞれ配置している。
差動信号の伝送動作については、実施の形態１と同様である。
【００４４】
以上のように、本実施の形態では、実施の形態１と同様な効果が得られる。さらに１ｃの外側に接地用導体２０ｂを配置しているので、接地用地導体２０ａおよび２０ｂにより、不要放射の抑制や外来ノイズへの耐性が向上するといった効果が期待できる。
実施の形態４.
【００４５】
図６は、本発明の実施の形態４における伝送システムの差動入力部と伝送線路の接続を示す概念図である。
なお、本実施の形態における伝送システムの全体的な構成および動作は、上記実施の形態１（図１参照）と同様であるので、以下では差異を中心に説明する。
なお、接続関係を分かりやすくするため、各信号用導体を区別して記載している。
【００４６】
図において、２ｐ１、２ｎ１、２ｐ２、２ｎ２が図２の各信号用導体に対応する信号用導体、３ａ、３ｂは差動信号源、ＩＮａ、ＩＮｂは各差動信号源の入力を示す。
即ち、差動信号出力部１０１は複数の差動信号出力を有する。図では２つの差動信号出力が示され、１つの差動信号出力を有する差動信号源を２つ用いて差動信号出力部１０１を構成している。
【００４７】
ここで、２ｐ１は、誘電体層１ａの第１の面上に配置され正相信号が伝送される信号用導体２、２ｎ1は、２ｐ１と同じ面上に配置され逆相信号が伝送される信号用導体２である。２ｎ２は、誘電体層１ａを挟んで信号導体２ｐ１に対向する主面に配置され逆相信号が伝送される信号用導体２、２ｐ２は、誘電体層１ａを挟んで信号導体２ｎ１に対向する面上に配置され逆相信号が伝送される信号用導体２である。
また、図中の伝送線路２０１の断面は、図２に示した断面と同様の構造であるが、伝送線路２０１の入力端部における断面であることを示すため、各信号用導体の符号に（ｉｎ）を付している。
【００４８】
説明を分かりやすくするため、ここでは、差動信号源３ａ、３ｂは同一特性を有する場合を例に説明する。また第１の差動信号源３ａと第２の差動信号源３ｂは同じ信号波形を出力するものとする。
【００４９】
また、図において、各差動信号源３ａ、３ｂの出力端から各信号用導体の入力端部までの長さが異なるが、概念図であり、ここでは全て等長であるとする。
【００５０】
差動信号源３ａの入力信号ＩＮａは、差動信号に変換されて出力される。差動信号源３ａの正相信号出力は信号導体２ｐ１の入力端部に、一方、逆相信号出力は信号導体２ｎ２の入力端部に、各々出力される。同様に、差動信号源３ｂの入力信号ＩＮｂは差動信号に変換された後、正相信号出力は信号導体２ｐ２の入力端部に、逆相信号出力は信号導体２ｎ１の入力端部に各々出力される。
【００５１】
なお、各差動信号源と信号用導体との間を接続する実装形態としては、例えば、（１）基板２００の同一面内に２つの差動信号源３ａ、３ｂを並べて配置し、等しい長さの配線で各信号用導体へ接続する（但し、誘電体層１ａを貫通するビアホールを用いる場合は、それによる遅延を考慮した設計を行う。）、（２）基板の両面に各々差動信号源を並べて配置し、そこから等長の配線で伝送線路へ接続する、（３）1つの実装パッケージに封入され２つの差動出力を持つ差動信号源用ＩＣを使用し上記（１）と同様に接続する、など各種方法が可能である。
【００５２】
差動信号の伝送動作については、実施の形態１と同様である。
【００５３】
以上のように、本実施の形態では、実施の形態１と同様な効果が得られる。また、差動信号出力の分岐を必要としないので設計が容易になる。
【００５４】
なお、実施の形態１と同様に、各接続部分においてインピーダンス整合がなされることが望ましい。インピーダンス整合がなされることにより、各部における信号の反射がより低減されるので、伝送される信号の歪の発生や伝送エラーが低減できる。
【００５５】
なお、本実施の形態においては、差動信号源の入力側の回路について図示していないが、両信号源の入力側において、両差動信号源に同じ信号が出力されるための機構、例えば（１）１つの信号源の信号を分岐する、（２）２つの同期した信号源の信号を使用する、など各種方法が可能である。
【００５６】
また、本実施の形態では、差動ドライバの特性を同一または略同一としているが、必ずしも同一または略同一である必要はなく、本発明の効果を奏するように差動信号を出力可能であればよい。
【００５７】
また、本実施の形態では、各差動信号出力から各信号用導体の入力端部までの長さを全て等長であると仮定しているが、タイミング補正用の遅延手段を設けるなどしてもよい。
【００５８】
また、第１の差動信号源３ａからの信号出力と第２の差動信号源３ｂからの信号出力との間で、差動信号の出力タイミングに差がある場合に、第１の差動信号出力から第１の差動信号出力に接続される導体の入力端部までの信号伝送時間と、第２の差動信号出力から記第２の差動信号源に接続される導体の入力端部までの信号伝送時間と、の差により前各信号入力端部において信号が同一または略同一タイミングで出力されるようにしてもよい。
実施の形態５．
【００５９】
図７は、本発明の実施の形態５における伝送システムの差動出力部と伝送線路の接続を示す概念図である。
なお、本実施の形態における伝送システムの全体的な構成および動作は、上記実施の形態１（図１参照）と同様であるので、以下では差異を中心に説明する。
【００６０】
実施の形態４と異なる点は、各差動信号源３ａ、３ｂの信号出力と各信号用導体との間の接続関係が異なっているという点である。
なお、接続関係を分かりやすくするため、各信号用導体を区別して記載している。
【００６１】
図において、２ｐ１、２ｎ１、２ｐ２、２ｎ２が図２の各信号用導体に対応する信号用導体、３が差動信号出力部１０１の差動信号源を示す。ここで、２ｐ１は、誘電体層１ａの第１の面上に配置され正相信号が伝送される信号用導体２、２ｎ1は、２ｐ１と同じ面上に配置され逆相信号が伝送される信号用導体２である。２ｎ２は、誘電体層１ａを挟んで信号導体２ｐ１に対向する主面に配置され逆相信号が伝送される信号用導体２、２ｐ２は、誘電体層１ａを挟んで信号導体２ｎ１に対向する面上に配置され逆相信号が伝送される信号用導体２である。
また、図中の伝送線路２０１の断面は、図２に示した断面と同様の構造であるが、伝送線路２０１の入力端部における断面であることを示すため、各信号用導体の符号に（ｉｎ）を付している。
【００６２】
差動信号源３ａの正相信号出力は信号用導体２ｐ１の入力端部に、一方、逆相信号出力は信号導体２ｎ１の入力端部に、各々印加される。同様に、差動信号源３ｂの正相信号出力は信号導体２ｐ２の入力端部に、逆相信号出力は信号導体２ｎ１の入力端部に各々印加される。
第１の差動信号源３ａと第２の差動信号源３ｂは同じ信号波形を出力するものとする。
【００６３】
差動信号の伝送動作については、実施の形態１と同様である。
【００６４】
以上のように、本実施の形態では、実施の形態１と同様な効果が得られる。また、差動信号出力の分岐を必要としないので設計が容易になる。
【００６５】
なお、実施の形態４と同様に、各差動信号源と信号用導体の間の接続方法としては、各種方法が可能である。また、実施の形態４に記載の変形例と同様に、各種の変形が可能である。
実施の形態６．
【００６６】
図８は、本発明の実施の形態６における伝送システムの差動入力部と伝送線路の接続を示す概念図である。
なお、本実施の形態における伝送システムの全体的な構成および動作は、実施の形態１（図１参照）と同様であるので、以下では差異を中心に説明する。
【００６７】
図において、２ｐ１、２ｎ１、２ｐ２、２ｎ２が図２の各信号用導体に対応する信号用導体、４は差動信号入力部３０１の差動受信回路、ＯＵＴは差動受信回路４の出力を示す。
【００６８】
ここで、２ｐ１は、誘電体層１ａの第１の面上に配置され正相信号が伝送される信号用導体２、２ｎ1は、２ｐ１と同じ面上に配置され逆相信号が伝送される信号用導体２である。２ｎ２は、誘電体層１ａを挟んで信号導体２ｐ１に対向する主面に配置され逆相信号が伝送される信号用導体２、２ｐ２は、誘電体層１ａを挟んで信号導体２ｎ１に対向する面上に配置され逆相信号が伝送される信号用導体２である。
【００６９】
なお、図中の伝送線路２０１の断面は、図２に示した断面と同様の構造であるが、伝送線路２０１の出力端部における断面であることを示すため、各信号用導体の符号に（ｏｕｔ）を付している。
【００７０】
上記各実施の形態と異なる点は、差動受信回路４が１つの差動信号入力を有し、差動信号入力の正相信号入力を分岐して信号用導体２ｐ１、２ｐ２に接続し、逆相信号入力を分岐して信号用導体２ｎ１、２ｎ２に接続している点である。
【００７１】
信号用導体の入力端部への差動信号の出力方法および差動信号の伝送動作については、上記各実施の形態のいずれかと同様である。
【００７２】
信号用導体の入力端部に出力された差動信号は、４本の信号用導体により伝送されて信号用導体の出力端部（ｏｕｔ）に達し、差動受信回路４により１つの差動信号として受信されて、出力信号ＯＵＴが出力される。
【００７３】
以上のように、本実施の形態では、実施の形態１と同様な効果が得られる。
【００７４】
なお、図に示した各接続部分においてインピーダンス整合がなされることが望ましい。インピーダンス整合がなされることにより、各部における信号の反射がより低減されるので、伝送される信号の歪の発生や伝送エラーが低減できる。
また、上記各実施の形態に記載した接続委方法やタイミング補正などの各種変形が、本実施の形態においても同様に適用可能である。
実施の形態７．
【００７５】
図９は、本発明の実施の形態７における伝送システムの差動信号入力部３０１と伝送線路２０１の接続を示す概念図である。
なお、本実施の形態における伝送システムの全体的な構成および動作は、実施の形態６１同様であるので、以下では差異を中心に説明する。
【００７６】
図において、２ｐ１、２ｎ１、２ｐ２、２ｎ２が図２の各信号用導体に対応する信号用導体、４ａは第１の差動受信回路、４ｂは第２の差動受信回路、ＯＵＴａ、ＯＵＴｂは各差動受信回路の出力を示す。
【００７７】
ここで、２ｐ１は、誘電体層１ａの第１の面上に配置され正相信号が伝送される信号用導体２、２ｎ1は、２ｐ１と同じ面上に配置され逆相信号が伝送される信号用導体２である。２ｎ２は、誘電体層１ａを挟んで信号導体２ｐ１に対向する主面に配置され逆相信号が伝送される信号用導体２、２ｐ２は、誘電体層１ａを挟んで信号導体２ｎ１に対向する面上に配置され逆相信号が伝送される信号用導体２である。
なお、図中の伝送線路２０１の断面は、図２に示した断面と同様の構造であるが、伝送線路２０１の出力端部における断面であることを示すため、各信号用導体の符号に（ｏｕｔ）を付している。
【００７８】
実施の形態６の図８と異なる点は、第２回路３００の差動信号入力部３０１に複数の差動信号入力を有するという点である。
図９では、２つの差動信号入力として、１つの差動信号入力を有する差動受信回路を２つ用いて差動信号入力部３０１を構成している。
また、差動受信回路４ａの正相信号入力は信号用導体２ｐ１に、逆相信号入力は信号用導体２ｎ２に接続されている。同様に、差動受信回路４ｂの正相信号入力は信号用導体２ｐ２に、逆相信号入力を信号用導体２ｎ１に接続されている。
【００７９】
信号用導体の入力端部への差動信号の出力方法および差動信号の伝送動作については、実施の形態１ないし実施の形態５のいずれかと同様である。また、差動受信回路における信号用導体からの差動信号の受信の動作については実施の形態６と同様である。
【００８０】
以上のように、本実施の形態では、実施の形態１と同様な効果が得られる。また、差動信号入力の分岐を必要としないので設計が容易になる。
【００８１】
なお、図に示した各接続部分においてインピーダンス整合がなされることが望ましい。インピーダンス整合がなされることにより、各部における信号の反射がより低減されるので、伝送される信号の歪の発生や伝送エラーが低減できる。
【００８２】
また、本実施の形態では、差動受信回路の特性を同一または略同一としているが、必ずしも同一または略同一である必要はなく、本発明の効果を奏するように差動信号を出力可能であればよい。
【００８３】
また、上記各実施の形態に記載した接続委方法やタイミング補正などの各種変形が、本実施の形態においても同様に適用可能である。
実施の形態８．
【００８４】
図１０は、本発明の実施の形態８における伝送システムの差動入力部と伝送線路の接続を示す概念図である。
なお、本実施の形態における伝送システムの全体的な構成および動作は、実施の形態１と同様であるので、以下では差異を中心に説明する。
【００８５】
図において、２ｐ１、２ｎ１、２ｐ２、２ｎ２が図２の各信号用導体に対応する信号用導体、４ａは第１の差動受信回路、４ｂは第２の差動受信回路、ＯＵＴａ、ＯＵＴｂは各差動受信回路の出力を示す。
【００８６】
ここで、２ｐ１は、誘電体層１ａの第１の面上に配置され正相信号が伝送される信号用導体２、２ｎ1は、２ｐ１と同じ面上に配置され逆相信号が伝送される信号用導体２である。２ｎ２は、誘電体層１ａを挟んで信号導体２ｐ１に対向する主面に配置され逆相信号が伝送される信号用導体２、２ｐ２は、誘電体層１ａを挟んで信号導体２ｎ１に対向する面上に配置され逆相信号が伝送される信号用導体２である。
【００８７】
なお、図中の伝送線路２０１の断面は、図２に示した断面と同様の構造であるが、伝送線路２０１の出力端部における断面であることを示すため、各信号用導体の符号に（ｏｕｔ）を付している。
【００８８】
実施の形態７の図９と異なる点は、２つの差動信号入力と４つの信号用導体との接続関係が異なっている点である。
【００８９】
差動受信回路４ａの正相信号入力は信号用導体２ｐ１に、逆相信号入力は信号用導体２ｎ１に接続されている。同様に、差動受信回路４ｂの正相信号入力は信号用導体２ｐ２に、逆相信号入力を信号用導体２ｎ２に接続されている。
【００９０】
信号用導体の入力端部への差動信号の出力方法および差動信号の伝送動作については、実施の形態１ないし実施の形態５のいずれかと同様である。また、差動受信回路における信号用導体からの差動信号の受信の動作については実施の形態６と同様である。
【００９１】
以上のように、本実施の形態では、実施の形態１と同様な効果が得られる。また、差動信号入力の分岐を必要としないので設計が容易になる。
【００９２】
なお、上記各実施の形態では、各信号用導体の断面形状が同じ四角形であるが、他の形状にしてもよく、４角形に限定されない。
また、上記各実施の形態では、誘電体層１ａを挟んで形成された各信号用導体は全て同一の厚みあるが、必ずしも同一である必要はない。
また、上記各実施の形態では、伝送線路２０１の信号用導体の厚みが平面的に一定であることを想定しているが、必ずしも一定である必要はない。
【００９３】
また、上記各実施の形態では、理想的な電気壁の条件を満足する電界分布を形成する場合について説明しているが、近似的又は実質的に、電気壁あるいは仮想接地（ＧＮＤ）面とみなせる電界分布が形成されればよい。
【００９４】
また、上記各実施の形態では、各信号用導体の平面的な形状として、図２に示すように幅が一定の長方形を想定しているが、必ずしも一定である必要はない。信号用導体の幅を変化させ、例えば伝送路フィルタやインピーダンス変成器を構成するといった変形が可能である。
【００９５】
また、上記各実施の形態では、差動信号源から信号用導体に対して差動信号のみが出力されている場合を説明しているが、正相信号出力と逆相信号出力とに同相信号成分が含まれてもよい。この場合、誘電体層１ａを挟んで対抗して配置された信号用導体の入力端部において、接地（ＧＮＤ）電位を基準とした電圧が逆極性であることが望ましい。
【００９６】
また、第１の回路１００、差動出力部１０１、第２の回路３００、差動入力部３０１は、各々その全てが電気的な回路である必要はなく、信号を入力または出力するものであればよく、等価的に電気回路に置き換え可能なものであってもよい。
【００９７】
また、上記各実施の形態では、第１回路から第２回路への一方向の差動信号伝送が行われる場合についてのみ説明しているが、時間分割による双方向の信号伝送を行うようにしてもよい。この場合、第１回路および第２回路の各々において、差動出力部と差動入力部を備えるようにし、伝送線路２０１に差動出力部と差動入力部を並列接続して切替えて信号伝送動作をさせるようにしてもよい。
【００９８】
さらに、上記各実施の形態は例示であり、上記各実施の形態の組合せを含め、当該技術分野の通常の知識をもつ者により本発明の技術的思想を外れない範囲内で各部の配置、位置関係、動作条件など種々の変形が可能である。
【符号の説明】
【００９９】
１ａ、１ｂ、１ｃ  誘電体層
２、２ｐ１、２ｐ２、２ｎ１、２ｎ２信号用導体
３、３ａ、３ｂ  差動信号源
４、４ａ、４ｂ  差動受信回路
２０ａ、２０ｂ  接地用導体
１００  第１回路
１０１  差動号出力部
２００  基板
２０１  伝送線路
３００  第２回路
３０１  差動入力部
ｐ  差動信号の正相信号
ｎ  差動信号の逆相信号
【図１】
0005617740.tif 000002
【図２】
0005617740.tif 000003
【図３】
0005617740.tif 000004
【図４】
0005617740.tif 000005
【図５】
0005617740.tif 000006
【図６】
0005617740.tif 000007
【図７】
0005617740.tif 000008
【図８】
0005617740.tif 000009
【図９】
0005617740.tif 000010
【図１０】
0005617740.tif 000011